(57)【要約】【課題】着用者自らが容易かつ瞬時に排尿を確認することのできるインジケータ手段を備えた使い捨て着用物品の提供。【解決手段】クロッチ域１３は、横軸Ｘから前ウエスト域１１側へ延びる第１区域２１と、横軸Ｘから後ウエスト域１２側へ延びる第２区域２２とを有し、前ウエスト域１１と第１区域２１の前ウエスト域１１側の部分とには、横軸Ｘの方向へ延びるウエスト弾性体３５が配設されている。前ウエスト域１１には外面から視認可能な装飾部４１Ａが配置され、第１区域２１には、外面から体液排泄の識別を可能にするインジケータ手段４３が配置されており、インジケータ手段４３の横軸Ｘの方向における両側には装飾部４１Ａが配置されておらず、インジケータ手段４３の外側部４３ｂがウエスト弾性体３５の内側部３５ａと重なっている。【選択図】図１
2014150846.tif 000002
【特許請求の範囲】
【請求項１】
縦軸及びそれに直交する横軸を有し、前ウエスト域と、後ウエスト域と、前記前後ウエスト域間に位置するクロッチ域と、前記クロッチ域から前記前後ウエスト域に延びる吸収構造体とを含む使い捨て着用物品において、
前記クロッチ域は、前記横軸から前記前ウエスト域側へ延びる第１区域と、前記横軸から前記後ウエスト域側へ延びる第２区域とを有し、
前記前ウエスト域と前記第１区域の前記前ウエスト域側の部分とには、前記横軸の方向へ延びるウエスト弾性体が配設されており、
前記前ウエスト域には外面から視認可能な装飾部が配置され、前記第１区域には、外面から体液排泄の識別を可能にするインジケータ手段が配置されており、
前記インジケータ手段は、前記横軸側に位置する内側部と、前記前ウエスト域側に位置する外側部とを有し、
前記インジケータ手段の前記横軸の方向における両側には前記装飾部が配置されておらず、
前記インジケータ手段の前記外側部が前記ウエスト弾性体の一部と重なることを特徴とする前記着用物品。
【請求項２】
縦軸及びそれに直交する横軸を有し、前ウエスト域と、後ウエスト域と、前記前後ウエスト域間に位置するクロッチ域と、前記クロッチ域から前記前後ウエスト域に延びる吸収構造体とを含む使い捨て着用物品において、
前記クロッチ域は、前記横軸から前記前ウエスト域側へ延びる第１区域と、前記横軸から前記後ウエスト域側へ延びる第２区域とを有し、
前記前ウエスト域と前記第１区域の前記前ウエスト域側の部分とには、前記横軸の方向へ延びるウエスト弾性体が配設されており、
前記前ウエスト域には外面から視認可能な装飾部が配置され、前記第１区域には、外面から体液排泄の識別を可能にするインジケータ手段が配置されており、
前記インジケータ手段は、前記横軸側に位置する内側部と、前記前ウエスト域側に位置する外側部とを有し、
前記ウエスト弾性体は、前記横軸の方向において離間対向して位置し、少なくとも前記吸収構造体の存在域において配置されておらず、前記前ウエスト域には前記ウエスト弾性体が配置された弾性域と、前記弾性域間に位置する非弾性域とを有し、
前記インジケータ手段の前記横軸の方向における両側には前記装飾部が配置されておらず、
前記インジケータ手段の前記外側部が、前記非弾性域に位置することを特徴とする前記着用物品。
【請求項３】
前記装飾部の前記横軸の方向における寸法は、前記インジケータ手段の前記横軸の方向における寸法よりも大きい請求項１又は２に記載の着用物品。
【請求項４】
前記インジケータ手段は、前記外側部から前記内側部にむかって次第に前記横軸の方向の寸法が大きくなっている請求項１〜３のいずれかに記載の着用物品。
【請求項５】
前記装飾部のうちの前記インジケータ手段と対向する内側部と、前記インジケータ手段の前記外側部との前記縦軸の方向における離間寸法は少なくとも約５．０ｍｍである請求項１〜４のいずれかに記載の着用物品。
【請求項６】
前記装飾部は、前記前ウエスト域に位置する第１装飾部と、前記クロッチ域の前記第２区域から前記後ウエスト域に延びる第２装飾部とを有し、前記インジケータ手段は前記縦軸の方向において前記第１装飾部と前記第２装飾部との間に位置する請求項１〜５のいずれかに記載の着用物品。
【請求項７】
前記第２装飾部のうちの前記インジケータ手段と対向する内側部と、前記インジケータ手段の前記内側部との前記縦軸の方向における離間寸法は少なくとも約５．０ｍｍである請求項６に記載の着用物品。
【請求項８】
第１区域において前記横軸に向かって凸曲状に延び、かつ、前記クロッチ域を横断する中央部を有するクロッチ弾性体をさらに含み、前記インジケータ手段の前記内側部が前記前クロッチ弾性体の中央部よりも前記縦軸の方向の外側に位置し、着用状態において、前記インジケータ手段の配置領域が外側へ膨らんだ形状を有する請求項１〜７のいずれかに記載の着用物品。
【請求項９】
前記前ウエスト域の内端近傍から前記横軸に向かって凸曲状に延び、かつ、前記第２区域を横断する中央部を有する前クロッチ弾性体と、前記後ウエスト域の内端近傍から前記横軸に向かって凸曲状に延びて前記第前クロッチ弾性体と交差し、かつ、前記第１区域を横断する中央部を有する後クロッチ弾性体とをさらに含み、前記インジケータ手段の前記内側部が前記後クロッチ弾性体の中央部よりも前記縦軸の方向の外側に位置し、着用状態において、前記インジケータ手段の配置領域が外側へ膨らんだ形状を有する請求項１〜８のいずれかに記載の着用物品。
【請求項１０】
前記インジケータ手段は、体液排泄前後において色彩が変化するものであって、前記装飾部の色彩が前記インジケータ手段の体液排泄前後のいずれの色彩とも類似しない請求項１〜９のいずれかに記載の着用物品。
【発明の詳細な説明】
【技術分野】
【０００１】
本発明は、使い捨て着用物品に関し、より詳しくは、排尿を知らせるためのインジケータ手段を備えた使い捨ておむつ、使い捨てのトイレット・トレニングパンツ、使い捨て失禁パンツ、使い捨ての生理用パンツ等の使い捨て着用物品に関する。
【背景技術】
【０００２】
従来、排尿を知らせるためのインジケータ手段を備えた使い捨て着用物品は公知である。例えば、特許文献１に開示の使い捨て着用物品は、着用物品の外面を形成する不透液性の外層シートに配置された外部から視認可能な表示要素を有する装飾部と、吸収構造体と外層シートとの間に配置された尿が接触することによって視覚的に変化するインジケータ手段とを有する。
【先行技術文献】
【特許文献】
【０００３】
【特許文献１】特開２００４−３３７３８５公報
【発明の概要】
【発明が解決しようとする課題】
【０００４】
特許文献１に開示された発明に係る使い捨て着用物品によれば、装飾部がインジケータの両側を含めたおむつ全体に配置されることによって着用物品の意匠的効果が向上するとともに、インジケータ手段の視覚的変化に応じて排尿の有無を確認することができる。しかし、かかるインジケータは母親等の着用補助者が排尿を確認するためのものであって、着用者自らが排尿を確認するためのものではなく、着用者がトイレット・トレーニング中の幼児である場合には、たとえ口頭で母親等の着用補助者がインジケータ手段と装飾部との違いを説明したとしても、着用者自らが装飾部とそれに囲まれたインジケータ手段とを瞬時に区別し難く、また、装飾部に視線が誘導される等して排尿の有無を瞬時に確認することができない。
【０００５】
本発明の課題は、着用者自らが容易かつ瞬時に排尿を確認することのできるインジケータ手段を備えた使い捨て着用物品の提供に関する。
【課題を解決するための手段】
【０００６】
前記課題を解決するために、本願の第１及び第２発明は、縦軸及びそれに直交する横軸を有し、前ウエスト域と、後ウエスト域と、前後ウエスト域間に位置するクロッチ域と、前記クロッチ域から前記前後ウエスト域に延びる吸収構造体とを含む使い捨て着用物品に関する。
【０００７】
本願の第１発明は、前記クロッチ域は、前記横軸から前記前ウエスト域側へ延びる第１区域と、前記横軸から前記後ウエスト域側へ延びる第２区域とを有し、前記前ウエスト域と前記第１区域の前記前ウエスト域側の部分とには、前記横軸の方向へ延びるウエスト弾性体が配設されており、前記前ウエスト域には外面から視認可能な装飾部が配置され、前記第１区域には、外面から体液排泄の識別を可能にするインジケータ手段が配置されており、前記インジケータ手段は、前記横軸側に位置する内側部と、前記前ウエスト域側に位置する外側部とを有し、前記インジケータ手段の前記横軸の方向における両側には前記装飾部が配置されておらず、前記インジケータ手段の前記外側部が前記ウエスト弾性体の一部と重なることを特徴とする。
【０００８】
本願の第２発明は、前記クロッチ域は、前記横軸から前記前ウエスト域側へ延びる第１区域と、前記横軸から前記後ウエスト域側へ延びる第２区域とを有し、前記前ウエスト域と前記第１区域の前記前ウエスト域側の部分とには、前記横軸の方向へ延びるウエスト弾性体が配設されており、前記前ウエスト域には外面から視認可能な装飾部が配置され、前記第１区域には、外面から体液排泄の識別を可能にするインジケータ手段が配置されており、前記インジケータ手段は、前記横軸側に位置する内側部と、前記前ウエスト域側に位置する外側部とを有し、前記ウエスト弾性体は、前記横軸の方向において離間対向して位置し、少なくとも前記吸収構造体の存在域において配置されておらず、前記前ウエスト域には前記ウエスト弾性体が配置された弾性域と、前記弾性域間に位置する非弾性域とを有し、前記インジケータ手段の前記横軸の方向における両側には前記装飾部が配置されておらず、前記インジケータ手段の前記外側部が、前記非弾性域に位置することを特徴とする。
【発明の効果】
【０００９】
本発明に係る使い捨て着用物品によれば、前ウエスト域に外部から視認可能な装飾部が配置されることによって意匠的効果を有する一方、クロッチ域の第１区域に排尿を知らせるためのインジケータ手段が配置されており、インジケータ手段の両側には装飾部が配置されていないので、インジケータ手段と装飾部とを誤認することはない。また、外側部がウエスト弾性体の内側部と重なっていることから、該外側部はクロッチ域のうちの外方へ膨らんだ部分の基端近傍に位置し、着用者が視線を下したときに視認が容易である。
【図面の簡単な説明】
【００１０】
【図１】本発明に係る使い捨て着用物品の一例として示す、第１実施形態における使い捨ておむつの斜視図。
【図２】前後ウエスト域の両側部を剥離して、おむつを縦軸の方向及び横軸の方向へ伸長状態における展開平面図。
【図３】おむつの分解斜視図。
【図４】装飾部とインジケータ手段との配置関係を示す、内面から見たおむつ１０の展開平面図。
【図５】図１のＶ−Ｖ線に沿う模式的断面図。
【図６】インジケータ手段の変更例の一例を示す図４と同様の図。
【図７】第２実施形態における図４と同様の図。
【図８】第３実施形態における図４と同様の図。
【図９】第３実施形態におけるおむつの斜視図。
【図１０】第４実施形態における図４と同様の図。
【発明を実施するための形態】
【００１１】
＜第１実施形態＞
図１〜５を参照すると、本発明の第１実施形態に係る使い捨て着用物品の一例である使い捨ておむつ１０は、縦軸Ｙ及びそれに直交する横軸Ｘを有し、肌対向面及びそれに対向する非肌対向面と、前ウエスト域１１と、後ウエスト域１２と、前ウエスト域１１および後ウエスト域１２の間に位置するクロッチ域１３とを含む。おむつ１０が展開された各図において、後述する各弾性体は、その収縮力に抗して伸長された状態にある。
【００１２】
クロッチ域１３は、説明の便宜上、横軸Ｘから前ウエスト域１１側へ延びる第１区域２１と、前記横軸Ｘから前記後ウエスト域１２側へ延びる第２区域２２とに区分される。
【００１３】
おむつ１０は、横軸Ｘと並行に延びる前後端部２３，２４と、縦軸Ｙに関して対称であって、互いに横軸Ｘの方向において対向する両側縁部２５，２６とを有する。両側縁部２５，２６は、着用者の大腿部に沿ってフィットするようにクロッチ域において凹曲状に形成されており、クロッチ域１３の、中央部の前ウエスト域１１側の部位が最も幅狭になっている。前ウエスト域１１の前側縁部１１ａ，１１ｂと後ウエスト域１２の後側縁部１２ａ，１２ｂとは、おむつ１０の前後方向において互いに対向する各側縁部どうしが縦軸Ｙの方向へ断続的に延びるサイドシーム２８によって連結されることによってウエスト開口３０及び一対のレッグ開口３１が画定される。サイドシーム２８は、熱又は超音波によるエンボス／デボス加工によって互いに重なり合うシートが融着される。
【００１４】
おむつ１０は、非肌対抗面に位置し、前後ウエスト域１１，１２及びクロッチ域１３に一連に延びる外層シート３２と、肌対抗面に位置し、外層シート３２と同形であって、中央に開口３３ａが形成された内層シート３３とを有する。外層シート３２と内層シート３３との間には、前後ウエスト域１１，１２の前後側縁部１１ａ，１１ｂ，１２ａ，１２ｂ間において前後端部２３，２４に沿って横軸Ｘの方向へ延びる複数条の第１ウエスト弾性域３４と、第１ウエスト弾性域３４の縦軸Ｙの方向の内方において、前後側縁部１１ａ，１１ｂ，１２ａ，１２ｂ及びクロッチ域１３の第１及び第２区域２１，２２の一部において横軸Ｘの方向へ延びる複数条の第２ウエスト弾性体３５とが伸長状態で収縮可能に配設される。
【００１５】
内外層シート３２，３３としては、例えば、不透液性であって好ましくは通気性を有する、質量が約１０〜４０ｇ／ｍ２、繊維密度が約０．０３〜０．１ｇ／ｃｍ３のスパンボンド繊維不織布、ＳＭＳ（スパンボンド・メルトブローン・スパンボンド）繊維不織布、エアスルー繊維不織布、多孔質プラスチックフィルム、またはそれらのラミネートシートなどを用いることができる。外層シート３２は、後記の第１及び第２装飾部４１Ａ，４１Ｂ及びインジケータ手段４３が外面から視認される程度の全光線透過率を有する。
【００１６】
第１及び第２ウエスト弾性体３４，３５としては、例えば、繊度が約４７０〜１２４０ｄｔｅｘのストリング状又はストランド状の弾性材料から形成され、収縮又は弛緩状態の長さの約１．５〜３．５倍に伸長された状態で配設することができる。第１及び第２ウエスト弾性体３４，３５の太さ、伸長倍率、各弾性体間の離間寸法（ピッチ）等の条件は適宜変更することが可能であるが、着用者の身体に安定的に着用されるために、第１ウエスト弾性域３４による弾性域の収縮力が第２ウエスト弾性体３５による弾性域のそれよりも大きくなるように各弾性体の条件を設定することが好ましい。また、第１及び第２ウエスト弾性体３４，３５としてストリング状又はストランド状の弾性材料のほかに、内外層シート３２，３３に固定された所要幅を有する弾性シートを用いることもできる。
【００１７】
外層シート３２と第２ウエスト弾性体３５との間には、その外面に複数の適宜の表示要素４０が印刷された矩形の防漏シート（イラストシート）４２が配置される。表示要素４０は、排泄物の液分等の水分に触れても視覚的に変化しないインク等の着色材料等から形成される。表示要素４０は、前後ウエスト域１１，１２とクロッチ域１３の第２区域２２とに配置されており、外部から視認可能な表複数の表示要素４０から構成されてなる、前ウエスト域１１に位置する第１装飾部４１Ａと後ウエスト域１２及び第２区域２２に位置する第２装飾部４１Ｂとが形成される。
【００１８】
本実施形態においては、表示要素４０の一例として、星の図柄が示されているが、各種公知の図形、装飾模様、絵柄、商品の商標、製造者の表記等であってもよい。特に、表示要素４０としてキャラクター等のデザイン性を有する絵柄を付した場合には、意匠的な効果を発揮し、おむつ１０の外観が向上する。また、防漏シート４２は複数のシート部材を組み合わせて形成されていてもよい。防漏シート４２は、不透液性の繊維不織布、不透液性かつ通気性のプラスチックフィルム又はそれらのラミネートシートから形成され、少なくとも吸収構造体の下面の全体を覆う外形寸法を有し、吸収構造体の底面から排泄物が漏れるのを防止している。
【００１９】
防漏シート４２の内面における、クロッチ域１３の第１区域２１に位置する部分には、排泄の有無を母親や着用者自らに知らせるためのインジケータ手段４３が設けられる。インジケータ手段４３は、縦軸Ｙの方向において互いに離間して横軸Ｘの方向へ延びる複数のライン状を有し、尿等の排泄物の液分に濡れると呈色又は変色して外部から視認可能となるインク層４４と、オプションとしての、好ましくは所要量の界面活性剤を含有したカバーシート４５とから形成されている。インジケータ手段４３を形成するインク層は、この種の分野において用いられる公知の材料、例えば、ＹＨ指示薬を含有したインク等の着色材料を用いることができ、好ましくは第１及び第２装飾部４１Ａ，４１Ｂとの表示要素４０とは異なる各種公知の図形、装飾模様、絵柄、文字等であってもよい。本実施形態において、インジケータ手段４３は複数条のラインからなるインジケータ要素から構成されており、その内側部４３ａはインジケータ要素のうちで最も内側に位置する要素を表し、外側部４３ｂは最も外側に位置する要素を表しているが、それらが一体となった外形状を有するものであってもよい。
【００２０】
図３を参照すると、おむつ１０は、内層シート３３と外層シート３２の間に複数の構成部材が介在されて構成されており、肌対向面側から順に、内層シート３３、一対のバリアシート４６、透液性を有する繊維不織布製の身体側ライナ４７、パッド状の吸収性を有する吸収構造体４８、第１及び第２ウエスト弾性体３４，３５、防漏シート４２、外層シート３２が積層されている。
【００２１】
吸収構造体４８は、木材フラッフパルプと、超吸収性ポリマー粒子等との混合物から形成された吸液性の芯材４９と、芯材全体を包被するティシュペーパ等の液拡散性のコアラップシート５０とを有する。一対のバリアシート４６は、互いに横軸Ｙの方向において離間して配置されており、身体側ライナ４７の両側にホットメルト接着剤を介して固定された近位縁部と、身体側ライナの前後端部にホットメルト接着剤を介して固定された前後固定端部と、前後固定端部間において縦軸Ｙの方向へ延びる、バリアシート４６の側部を折曲して固定することによって形成されたスリーブ状又はループ状の遠位縁部５１とを有する。遠位縁部５１の内部には、弾性体５２が伸長状態で収縮可能に取り付けられる。おむつ１０の着用状態において、弾性体５２が収縮することによって遠位縁部５１が身体側ライナ４７から着用者の身体側へ離間し、着用者の大腿部にフィットして排泄物の漏れを防止する防漏壁が形成される。
【００２２】
図２を参照すると、身体側ライナ４７及びバリアシート４６の遠位縁部５１は、内層シート３３に被覆されており、それらの中央部が開口３３ａから外部に露出している。開口３３ａから露出した吸収構造体４８の部分において排泄された体液が吸収構造体に吸収、保持され、また、バリアシート４６のうちの内層シート３３に被覆された部分は内層シート３３の内面にホットメルト接着剤を介して固定されており、開口３３ａから露出したバリアシート４６の遠位縁部５１のみが防漏壁として機能する。
【００２３】
図４及び５を参照すると、インジケータ手段４３は、クロッチ域１３の第１区域２１に配設された第２ウエスト弾性体３５の一部と重なって位置している。おむつ１０の着用状態において、第２ウエスト弾性体３５の配置されてない、それよりも内方に位置する吸収構造体４８の位置する第１区域２１の中央部は、第２ウエスト弾性体３５に締め付けられることなく、圧縮復元弾性を有するパッド状の吸収構造体４８の形状が維持されるので、外方へ膨らんだ形態となる。図５の拡大図に示すとおり、膨出部分６０は、第２ウエスト弾性体３５の内側部３５ａ近傍を起点として凸曲するので、着用者が視線を下したときに、その（上方）基端６０ａ近傍を容易に視認することができる。インジケータ手段４３の外側部４３ｂは、第２ウエスト弾性体３５の内側部３５ａと重なって位置するので、外側部４３ｂは基端６０ａ近傍から凸曲する部分に延び、着用者は内側部４３ａを容易に視認することができる。
【００２４】
また、前ウエスト域１１及びクロッチ域１３の第１区域２１において、意匠的効果を有する第１装飾部４１Ａは、インジケータ手段４３から所与寸法離間して位置し、かつ、インジケータ手段４３の横軸Ｘの方向における両側には、配置されていない。このように、前ウエスト域１１に第１装飾部４１Ａが配置されていることによって、おむつ１０全体の意匠効果が向上する一方、インジケータ手段４３の直上及び両側には第１装飾部４１Ａが配置されていないので、排尿を確認するときに視線が誘導されて誤って第１装飾部４１Ａをインジケータ手段４３と誤認するおそれはない。特に、着用者自らが下着やズボン等の衣類のウエスト部の開口を前方に拡げた状態で視線を下して排尿を確認する際に、インジケータ手段４３の周辺に第１装飾部４１Ａが配置されている場合には、第１装飾部４１Ａとインジケータ手段４３との判別が困難であるところ、かかる不利益を生じるおそれはない。また、着用者がトイレット・トレーニング中の幼児である場合には、母親等がインジケータ手段を特定するための形や色彩等の構成要素を口頭で説明したとしても、視線を下した先にインジケータ手段とともに装飾部が配置されていることによって瞬時にそれらを区別し難く、キャラクター等の装飾要素が配置された装飾部に無意識のうちに視線が誘導され易くなる。かかる場合において、このようにインジケータ手段４３の周辺に第１装飾部４１Ａを配置しないことによって、母親等が着用者に対してインジケータ手段４３の構成要素とともにその配置位置を示すことによって、インジケータ手段４３を峻別することができる。
【００２５】
着用者が自ら視線を下したときにインジケータ手段４３を容易に確認するためには、おむつ１０の前端縁（ウエスト開口縁）からインジケータ手段４３の外側部４３ｂまでの縦軸Ｙの方向における寸法Ｌ１は約１００〜１５０ｍｍであることが好ましい。また、インジケータ手段４３は、縦軸Ｙの方向における横軸Ｘと第２ウエスト弾性体３５の内側部３５ａとの離間寸法Ｒ１の中央部よりも前ウエスト域１１側に位置していることが好ましい。横軸Ｘ近傍は着用者の大腿部間に挟まれ、かつ、第２ウエスト弾性体３５の配設された領域はその収縮力によって着用者の身体にフィットされることから、横軸Ｘと内側部３５ａとの間が膨出部６０として外方へ突出した態様となり、図５に示すとおり、離間寸法Ｒ１の中央部近傍が膨出部６０のうちで最も外方へ突出した部位（最突出部位）６２ｂとなる。通常のおむつにおけるインジケータ手段は、最突出部位６２ｂよりも後方に位置することによって、着用者が自ら視認しづらくなっているところ、本実施形態におけるインジケータ手段４３は、最突出部位６２ｂよりも前ウエスト域１１に位置するので、着用者が視線を下したときに瞬時に視認することができる。かかる効果を奏するために、インジケータ手段４３は少なくとも横軸Ｘと内側部３５ａとの間に位置していることが好ましいが、該領域にのみ配置して他の領域に配置しないことによって、効率よく着用者自らに排尿を知らせることができ、インジケータ手段４３を比較的広範囲に配置することによる外観の低下を防ぐとともに、材料コストを抑えることができる。
【００２６】
インジケータ手段４３と第１装飾部４１Ａとを容易に峻別することができるためには、第１装飾部４１Ａの内端縁６４とインジケータ手段４３の外側部４３ｂとの縦軸Ｙの方向における離間寸法Ｒ２が約５．０ｍｍ以上であることが好ましい。離間寸法Ｒ２が約５．０ｍｍ以下の場合には、第１装飾部４１Ａとインジケータ手段４３が近接して、着用者及び着用補助者がそれらを容易に峻別することができないおそれがあるからである。
【００２７】
インジケータ手段４３の内側部４３ａと第２装飾部４１Ｂの内側部６６との縦軸Ｙの方向における離間寸法Ｒ３は約５．０ｍｍ以上であることが好ましい。かかる場合には、インジケータ手段４３の外側部４３ｂと第２装飾部４１Ｂとが近接することはなく、着用者等が視線を奪われたりするおそれはないからである。また、第１及び第２装飾部４１Ａ，４１Ｂの横軸Ｘの方向における寸法が、インジケータ手段４３の横軸Ｘにおける寸法よりも大きくなっている。具体的には、前者が約１８０ｍｍ、後者が約６０ｍｍである。このように、第１及び第２装飾部４１Ａ，４１Ｂの横軸Ｘの方向における寸法がインジケータ手段４３の横軸Ｘの方向における寸法よりも大きいことによって、インジケータ手段４３の両側には第１及び第２装飾部４１Ａ，４１Ｂに囲まれた表示要素４０の配置されていない非装飾部が形成されるので、インジケータ手段４３を相対的に目立たせることができる。
【００２８】
尿に接触する前のインジケータ手段４３の色彩及び尿に接触後においてインジケータ手段４３の呈色又は変色した色彩は、好ましくは、第１及び第２装飾部４１Ａ，４１Ｂの色彩と非類似である。これらの色彩が類似する場合には、着用者が排尿を確認するときに、第１及び第２装飾部４１Ａ，４１Ｂとインジケータ手段４３とを峻別することができず、排尿の有無を誤認するおそれがあるからである。ここで、色彩が非類似であるとは、通常の注意力を有する観察者（着用者又は着用補助者）が見て類似してないと認識しうる程度のものであって、例えば、オスワルド（Ｏｓｔｗａｌｄ）色相環に分類された２４色の式票で異なる色票であって、反対色の場合等をいう。このように、インジケータ手段４３の排尿前の色彩及び排尿後における呈色又は変色した色彩が第１及び第２装飾部４１Ａ，４１Ｂの反対色である場合には、排尿の前後においてインジケータ手段４３と第１及び第２装飾部４１Ａ，４１Ｂのコントラストが明瞭となり、両者をより区別し易くになる。
【００２９】
＜変更例＞
図６は、インジケータ手段４３の形状の変更例の一例を示すものであって、インジケータ手段４３は、縦軸Ｙの方向において互いに所与寸法離間する、横軸Ｘの方向へ延びる複数のライン状を有し、かつ、外側部４３ｂから内側部４３ａに向かって次第に横軸Ｘの方向における寸法が大きくなっている。おむつ１０の着用状態において、第２ウエスト弾性体３５の内側部３５ａの内方（下方）に位置する膨出部６０のうちの下方部位は外側部４３ｂ側の部位に比して視認し難くなるところ、インジケータ手段４３がかかる態様を有することによって、内側部４３ａ側についても視認し易くなるとともに、その意匠的な効果によって、着用者及び着用補助者の視線が無意識にインジケータ手段４３に誘導され易くなる。
【００３０】
＜第２実施形態＞
図７を参照すると、本実施形態におけるおむつ１０においては、第２ウエスト弾性体３５が防漏シート４２の両側縁まで延びており、少なくとも吸収構造体４８の存在域には実質的に配置されておらず、第２ウエスト弾性体３５の配設された領域には、横軸Ｘの方向において離間対向して位置する弾性域６８Ａ，６８Ｂ，それらの間には非弾性域６９が画成される。該非弾性域６９は、第２ウエスト弾性体３５において、中央部をシート部材に固定せず、かつ、伸長状態においてそれを切断することにより、スナップバックさせることで画成することができる。本実施形態において、インジケータ手段４３の外側部４３ｂは、第２ウエスト弾性体３５の内側部３５ａと横軸Ｘの方向において並んで位置しており、かかる場合においてもインジケータ手段４３は膨出部６０の基端６０ａ近傍に位置するので、既述の効果を奏し得る。したがって、このように、非弾性域６９が画成され、インジケータ手段４３が第２ウエスト弾性体３５と実際に重なっておらず、少なくともその外側部４３ｂが非弾性域６９に位置する態様についても、本発明において排除されるものではない。また、このように吸液構造体４８の存在域に第２ウエスト弾性体３５が配置されていないことによって、第２ウエスト弾性体３５の収縮力によって吸液構造体４８に皺が形成される等して、その吸液性能が阻害されることはない。
【００３１】
＜第３実施形態＞
図８及び９を参照すると、本実施形態におけるおむつ１０は、内層シート３３と外層シート３２との間において、両シート３２，３３のうちの少なくとも一方の内面に塗布されたホットメルト接着剤を介して伸長状態で収縮可能に固定されたクロッチ弾性体７０とを有する。クロッチ弾性体７０は、前ウエスト域１１の両側縁部１１ａ，１１ｂの内端近傍から横軸Ｘに向かって凸曲状に延びる形状を有し、第１区域２１のレッグ開口縁部に沿って延びる両側部７１と、第２区域２２においてクロッチ域１３を横断する中央部７２とを有する。インジケータ手段４３は、クロッチ弾性体７０の中央部７２よりも縦軸Ｙの方向の外側に位置する。クロッチ弾性体７０が配設されることによって、クロッチ域１３の前ウエスト域１１側が着用者の身体によりフィットし、排泄物の横漏れを確実に防ぐことができる。
【００３２】
このように、クロッチ域１３の第１区域２１において、インジケータ手段４３を囲むようにクロッチ弾性体７０が配設されることによって、インジケータ手段４３が配置された膨出部６０の中央部位は、クロッチ弾性体７０がその外周を締めつけているので、より外方へ凸曲し、着用者が視線を下したときにインジケータ手段４３をさらに容易に確認することができるようになる。
【００３３】
＜第４実施形態＞
図１０を参照すると、本実施形態におけるおむつ１０は、外層シート３２と内層シート３３との間において、両シート３２，３３のうちの少なくとも一方に塗布されたホットメルト接着剤を介して伸長状態で収縮可能に固定された前後クロッチ弾性体７４，７５とを有する。前クロッチ弾性体７４は、前ウエスト域１１の両側縁部１１ａ，１１ｂの内端近傍から横軸Ｘに向かって凸曲状に延びる形状であって、第１区域２１のレッグ開口縁部に沿って延びる両側部７６と、第２区域２２においてクロッチ域１３を横断する中央部７７とを有する。後クロッチ弾性体７５は、後ウエスト域１２の両側縁部１２ａ，１２ｂの内端近傍から横軸Ｘに向かって凸曲状に延びる形状であって、第２区域２２のレッグ開口縁部に沿って延びる両側部７８と、第２区域２２においてクロッチ域１３を横断する中央部７９を有する。前クロッチ弾性体７４の中央部７７と後クロッチ弾性体７５の中央部７９とは、それらの両側部位どうしが第１区域２１の横軸Ｘ近傍において互いに交差している。
【００３４】
インジケータ手段４３は、後クロッチ弾性体７５の中央部よりも縦軸Ｙの方向の外方に位置し、前クロッチ弾性体７４の両側部７６と後クロッチ弾性体７５の中央部７９とに囲まれた領域に位置する。該領域は、第２ウエスト弾性体３５が配設されておらず、かつ、前クロッチ弾性体７４の両側部７６と後クロッチ弾性体７５の中央部７９とに囲まれてその外周がそれらによって締めつけられているので、前後クロッチ弾性体７４，７５が配設されていない場合に比してより膨出部６０が外方へ膨らんだような凸曲した形態を有する。また、第１区域２１の横軸Ｘ近傍において前クロッチ弾性体７４の中央部７７と後クロッチ弾性体７５の中央部７９とが交差することによって膨出部６０の下端が前クロッチ弾性体７４のみが配設されている場合に比してさらに強く締め付けられ、下端が外方へ凸曲して着用者が視線を下したときにインジケータ手段４３の内側部４３ａをより視認し易くなる。
【００３５】
使い捨ておむつ１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている「第１」及び「第２」の用語は、同様の要素、位置等を単に区別するために用いている。
【００３６】
以上に記載した本発明に関する開示は、少なくとも下記事項に要約することができる。
（１）縦軸及びそれに直交する横軸を有し、前ウエスト域と、後ウエスト域と、前後ウエスト域間に位置するクロッチ域と、前記クロッチ域から前記前後ウエスト域に延びる吸収構造体とを含む使い捨て着用物品において、前記クロッチ域は、前記横軸から前記前ウエスト域側へ延びる第１区域と、前記横軸から前記後ウエスト域側へ延びる第２区域とを有し、
前記前ウエスト域と前記第１区域の前記前ウエスト域側の部分とには、前記横軸の方向へ延びるウエスト弾性体が配設されており、
前記前ウエスト域には外面から視認可能な装飾部が配置され、前記第１区域には、外面から体液排泄の識別を可能にするインジケータ手段が配置されており、
前記インジケータ手段は、前記横軸側に位置する内側部と、前記前ウエスト域側に位置する外側部とを有し、前記インジケータ手段の前記横軸の方向における両側には前記装飾部が配置されておらず、前記インジケータ手段の前記外側部が前記ウエスト弾性体の一部と重なることを特徴とする前記着用物品。
（２）縦軸及びそれに直交する横軸を有し、前ウエスト域と、後ウエスト域と、前記前後ウエスト域間に位置するクロッチ域と、前記クロッチ域から前記前後ウエスト域に延びる吸収構造体とを含む使い捨て着用物品において、
前記クロッチ域は、前記横軸から前記前ウエスト域側へ延びる第１区域と、前記横軸から前記後ウエスト域側へ延びる第２区域とを有し、
前記前ウエスト域と前記第１区域の前記前ウエスト域側の部分とには、前記横軸の方向へ延びるウエスト弾性体が配設されており、
前記前ウエスト域には外面から視認可能な装飾部が配置され、前記第１区域には、外面から体液排泄の識別を可能にするインジケータ手段が配置されており、
前記インジケータ手段は、前記横軸側に位置する内側部と、前記前ウエスト域側に位置する外側部とを有し、
前記ウエスト弾性体は、前記横軸の方向において離間対向して位置し、少なくとも前記吸収構造体の存在域において配置されておらず、前記前ウエスト域には前記ウエスト弾性体が配置された弾性域と、前記弾性域間に位置する非弾性域とを有し、
前記インジケータ手段の前記横軸の方向における両側には前記装飾部が配置されておらず、
前記インジケータ手段の前記外側部が、前記非弾性域に位置することを特徴とする前記着用物品。
【００３７】
上記段落００３６（１）および（２）に開示した本発明に係る使い捨て着用物品は、少なくとも下記の実施の形態を含むことができる。
（１）前記装飾部の前記横軸の方向における寸法は、前記インジケータ手段の前記横軸の方向における寸法よりも大きい。
（２）前記インジケータ手段は、前記外側部から前記内側部にむかって次第に前記横軸の方向の寸法が大きくなっている。
（３）前記装飾部のうちの前記インジケータ手段と対向する内側部と、前記インジケータ手段の前記外側部との前記縦軸の方向における離間寸法は少なくとも約５．０ｍｍである。
（４）前記装飾部は、前記前ウエスト域に位置する第１装飾部と、前記クロッチ域の前記第２区域から前記後ウエスト域に延びる第２装飾部とを有し、前記インジケータ手段は前記縦軸の方向において前記第１装飾部と前記第２装飾部との間に位置する。
（５）前記第２装飾部のうちの前記インジケータ手段と対向する内側部と、前記インジケータ手段の前記内側部との前記縦軸の方向における離間寸法は少なくとも約５．０ｍｍである。
（６）第１区域において前記横軸に向かって凸曲状に延び、かつ、前記クロッチ域を横断する中央部を有するクロッチ弾性体をさらに含み、前記インジケータ手段の前記内側部が前記前クロッチ弾性体の中央部よりも前記縦軸の方向の外側に位置し、着用状態において、前記インジケータ手段の配置領域が外側へ膨らんだ形状を有する。
（７）前記前ウエスト域の内端近傍から前記横軸に向かって凸曲状に延び、かつ、前記第２区域を横断する中央部を有する前クロッチ弾性体と、前記後ウエスト域の内端近傍から前記横軸に向かって凸曲状に延びて前記第前クロッチ弾性体と交差し、かつ、前記第１区域を横断する中央部を有する後クロッチ弾性体とをさらに含み、前記インジケータ手段の前記内側部が前記後クロッチ弾性体の中央部よりも前記縦軸の方向の外側に位置し、着用状態において、前記インジケータ手段の配置領域が外側へ膨らんだ形状を有する。
（８）前記インジケータ手段は、体液排泄前後において色彩が変化するものであって、前記装飾部の色彩が前記インジケータ手段の体液排泄前後のいずれの色彩とも類似しない。
【符号の説明】
【００３８】
１０  使い捨ての着用物品
１１  前ウエスト域
１２  後ウエスト域
１３  クロッチ域
２１  クロッチ域の第１区域
２２  クロッチ域の第２区域
３５  第２ウエスト弾性体（ウエスト弾性体）
４１Ａ  第１装飾部（装飾部）
４１Ｂ  第２装飾部
４３  インジケータ手段
４３ａ  インジケータ手段の内側部
４３ｂ  インジケータ手段の外側部
６０    膨出部
６４    第１装飾部の内側部
６６    第２装飾部の内側部
７４    前クロッチ弾性体
７５    後クロッチ弾性体
７７    前クロッチ弾性体の中央部
７９    後クロッチ弾性体の中央部
Ｙ  縦軸
Ｘ  横軸
【図１】
2014150846.tif 000003
【図２】
2014150846.tif 000004
【図３】
2014150846.tif 000005
【図４】
2014150846.tif 000006
【図５】
2014150846.tif 000007
【図６】
2014150846.tif 000008
【図７】
2014150846.tif 000009
【図８】
2014150846.tif 000010
【図９】
2014150846.tif 000011
【図１０】
2014150846.tif 000012